(57)【特許請求の範囲】
【請求項１】
室外機と、同室外機に冷媒配管接続され室内熱交換器を有する室内機と、前記室外機や前記室内機を制御する制御手段と、前記室内機が設置された部屋の室温を検出する室温検出手段と、前記室内熱交換器の温度である室内熱交温度を検出する室内熱交温度検出手段とを備えた空気調和機であって、
前記制御手段は、前記室温検出手段で検出した室温と、前記室内熱交温度検出手段で検出した室内熱交温度とに基づいて、前記室内機の送風制御を行う送風制御モードを有し、
前記送風制御モードにおける前記送風制御は、前記室内機における送風防止あるいは送風防止解除であり、
前記室内熱交温度検出手段で検出した室内熱交温度が第１閾温度未満である場合、前記室温検出手段で検出した室温に関わらず、前記送風制御を前記送風防止とし、
前記室内熱交温度検出手段で検出した室内熱交温度が前記第１閾温度より高い第２閾温度以上である場合、前記室温検出手段で検出した室温に関わらず、前記送風制御を前記送風防止解除とし、
前記室内熱交温度検出手段で検出した室内熱交温度が前記第１閾温度以上前記第２閾温度未満である場合、前記室内熱交温度と前記室温検出手段で検出した室温との温度差が所定温度未満であるときは前記送風防止とし、前記温度差が前記所定温度以上であるときは前記送風防止解除とする、
ことを特徴とする空気調和機。
【請求項２】
前記制御手段は、前記空気調和機において暖房運転を開始した際に、あるいは、除霜運転から暖房運転に復帰した際に、前記送風制御モードを実行することを特徴とする請求項１に記載の空気調和機。
【請求項３】
前記制御手段は、前記室温および前記室内熱交温度と、前記室内機における送風防止あるいは送風防止解除とを対応付けてなる送風制御テーブルを記憶した記憶部を備え、
前記制御手段は、前記送風制御テーブルに基づいて前記送風制御モードを実行することを特徴とする請求項１または請求項２に記載の空気調和機。
【請求項４】
前記送風制御テーブルにおいて、前記室内機における前記送風防止解除に加えて、前記室温および前記室内熱交温度と前記室内機における送風量とを対応付けたことを特徴とする請求項１乃至請求項３に記載の空気調和機。
【発明の詳細な説明】
【技術分野】
【０００１】
本発明は、室外機と室内機とからなる空気調和機に関する。
【背景技術】
【０００２】
従来の室外機と室内機とが冷媒配管で接続される空気調和機において、暖房運転を行っている時は、室外機の圧縮機から吐出された高圧の冷媒が冷媒配管を流れて室内機に備えられた室内熱交換器に流入し、室内熱交換器の温度が上昇する。そして、室内ファンの回転により室内機内部に取り込まれた室内空気が、温度が上昇した室内熱交換器を通過することによって暖められ、暖められた室内空気が再び室内に吹き出されることで室内の暖房が行われる。
【０００３】
しかし、暖房運転を開始した時や、除霜運転から暖房運転に復帰（以下、暖房運転復帰と記載）した際には、室内熱交換器に高圧の冷媒が流れ出したばかりであるため、室内熱交換器の温度（以下、室内熱交温度と記載）が低い状態である。この状態で室内ファンを回転させると、室内機内部に取り込まれた室内空気が室内熱交換器を通過しても暖められずに冷風が室内へ吹き出されてしまい、使用者に不快感を与える虞があった。
【０００４】
以上の問題を解決するものとして、例えば、特許文献１では、室内熱交温度を検出し、この温度に応じて室内ファンの運転を停止、あるいは、低速回転で運転する空気調和機が提案されている。この空気調和機では、暖房運転開始後や暖房運転復帰後に、室内熱交温度が所定温度（例えば、特許文献１において、室内熱交温度上昇時は２５℃、下降時は２０℃）より低い状態では室内ファンを回転させないようにして室内への送風を停止し、室内熱交温度が所定温度以上となれば室内熱交換器の温度に応じて室内ファンを低速で回転させて送風の強さを微風にしたり、使用者の設定した送風の強さに対応した速度で室内ファンを回転させる。これにより、室内に冷風が吹き出されることを防ぐことができる。
【先行技術文献】
【特許文献】
【０００５】
【特許文献１】特開平１１−２８７５００号公報（第５〜６頁、第１図、第７図）
【発明の概要】
【発明が解決しようとする課題】
【０００６】
上述した空気調和機では、室内機が設置された部屋の室内温度（以下、室温と記載）に関わらず、暖房運転開始後や暖房運転復帰後は、室内熱交温度が所定温度より低い状態では室内への送風を行わない。しかし、室内熱交温度のみに基づいて室内ファンの回転開始／停止を制御すると、室内熱交温度が所定温度まで上昇しないと送風を開始しないため、室内機からの送風開始に時間がかかる虞があり、この間使用者は送風開始、すなわち暖房運転開始を長時間待ち続けなければいけないという問題があった。
【０００７】
本発明は以上述べた問題点を解決するものであって、暖房運転開始時や暖房運転復帰時における暖房運転開始を迅速に行える空気調和機を提供することを目的とする。
【課題を解決するための手段】
【０００８】
上記した課題を解決するために、本発明の空気調和機は、室外機と、室外機に冷媒配管接続され室内熱交換器を有する室内機と、室外機や室内機を制御する制御手段と、室内機が設置された部屋の室温を検出する室温検出手段と、室内熱交換器の温度である室内熱交温度を検出する室内熱交温度検出手段とを備えている。そして、制御手段は、空気調和機において暖房運転を開始した際に、あるいは、除霜運転から暖房運転に復帰した際に、室温検出手段で検出した室温と、室内熱交温度検出手段で検出した室内熱交温度とに基づいて、室内機における送風防止あるいは送風防止解除を行う送風制御モードを有している。
【発明の効果】
【０００９】
上記のように構成した本発明の空気調和機によれば、暖房運転を開始した際に、あるいは、除霜運転から暖房運転に復帰した際に、室温検出手段で検出した室温と、室内熱交温度検出手段で検出した室内熱交温度とに基づいて、室内機における送風防止あるいは送風防止解除を行う。これにより、室内熱交温度のみで室内機における送風防止あるいは送風防止解除を行う場合に比べて、暖房運転開始時や暖房運転復帰時における暖房運転開始を迅速に行える。
【図面の簡単な説明】
【００１０】
【図１】本発明による空気調和機の冷媒回路図である。
【図２】本発明による空気調和機の室内機に記憶される送風制御テーブルである。
【図３】本発明による空気調和機の制御手段での処理を説明するフローチャートである。
【発明を実施するための形態】
【００１１】
以下、本発明の実施の形態を、添付図面に基づいて詳細に説明する。実施例としては、室外機と室内機とが冷媒配管で接続されている空気調和機を例に挙げて説明する。尚、本発明は以下の実施形態に限定されることはなく、本発明の主旨を逸脱しない範囲で種々変形することが可能である。
【実施例】
【００１２】
図１に示すように、本実施例の空気調和機１は、住宅やマンション等の室外に設置される室外機２と、部屋に設置され室外機２に液管５およびガス管６で接続された室内機４とを備えている。詳細には、液管５は、一端が室内機４の閉鎖弁４８に、他端が室外機２の閉鎖弁３１に接続されており、ガス管６は、一端が室内機４の閉鎖弁４７に、他端が室外機２の閉鎖弁３２に接続されている。以上により空気調和機１の冷媒回路１０が構成されている。
【００１３】
室外機２は、冷媒回路１０の一部を構成する室外冷媒経路１０ａを備えている。室外冷媒経路１０ａは、圧縮機２１と、四方弁２２と、室外熱交換器２３と、アキュムレータ２４と、液管５の他端が接続される閉鎖弁３１と、ガス管６の他端が接続される閉鎖弁３２とを有しており、これらが相互に冷媒配管で接続されている。また、室外機２は、室外ファン２５を備えている。
【００１４】
圧縮機２１は、図示しないインバータにより回転数が制御されるモータ（例えば、３相ブラシレスモータ）によって駆動される能力可変型圧縮機である。圧縮機２１の吐出側は四方弁２２に接続され、圧縮機２１の吸入側はアキュムレータ２４の流出側に接続されている。
【００１５】
四方弁２２は、冷媒の流れる方向を切り替えるための弁である。四方弁２２は、ａ〜ｄの４つのポートを備えており、ポートａが上述したように圧縮機２１の吐出側に、ポートｂが室外熱交換器２３の一端に、ポートｃがアキュムレータ２４の流入側に、ポートｄが閉鎖弁３２に、それぞれ冷媒配管で接続されている。
【００１６】
空気調和機１が暖房運転を行う際は、四方弁２２のポートａとｄとを連通するよう、また、ポートｂとｃとを連通するように切り替えて（図１の四方弁２２における実線で示す状態）、室外熱交換器２３を蒸発器として機能させる。この時、圧縮機２１の吐出側は、閉鎖弁３２を介してガス管６に接続されるとともに、圧縮機２１の吸入側は、アキュムレータ２４を介して室外熱交換器２３の一端に接続される。
【００１７】
一方、空気調和機１が冷房運転を行う際は、四方弁２２のポートａとｂとを連通するよう、また、ポートｃとｄとを連通するように切り替えて（図１の四方弁２２における破線で示す状態）、室外熱交換器２３を凝縮器として機能させる。この時、圧縮機２１の吐出側は、室外熱交換器２３の一端に接続されるとともに、圧縮機２１の吸入側は、アキュムレータ２４を介して閉鎖弁３２に接続される。
【００１８】
室外熱交換器２３は、上述したように一端が四方弁２２のポートｂに接続され、他端が閉鎖弁３１に接続されており、暖房運転時には蒸発器として機能し、冷房運転時には凝縮器として機能する。
【００１９】
アキュムレータ２４は、上述したように、流入側が四方弁２２のポートｃに接続され、流出側が圧縮機２１の吸入側に接続されている。アキュムレータ２４は冷媒を収容することが可能な容器であり、液冷媒とガス冷媒とを分離してガス冷媒のみを圧縮機２１に吸入させる。
【００２０】
室外ファン２５は、図示しないファンモータによって駆動される。室外ファン２５が回転することによって、室外機２の図示しない吸込口から室外機２内部に外気を取り込み、室外熱交換器２３において冷媒と熱交換させた後、室外機２の図示しない吹出口から室外機２外に排出する。
【００２１】
室外機２には、上述した構成の他に、各種のセンサが設けられている。室外機２には、圧縮機２１の吐出圧力を検出する高圧センサ５１と、圧縮機２１の吸入圧力を検出する低圧センサ５２とが設けられている。また、圧縮機２１から吐出される冷媒の温度を検出する吐出温度センサ５３と、圧縮機２１に吸入される冷媒の温度を検出する吸入温度センサ５４とが設けられている。尚、高圧センサ５１および吐出温度センサ５３は、圧縮機２１と四方弁２２との間の位置に、低圧センサ５２および吸入温度センサ５４は、圧縮機２１とアキュムレータ２４との間の位置に、それぞれ配置される。
【００２２】
また、室外熱交換器２３には、室外熱交換器２３を流れる冷媒の温度を検出する室外熱交温度センサ５６が設けられている。室外熱交換器２３と閉鎖弁３１との間の位置には、室外熱交換器２３に流入あるいは流出する冷媒の温度を検出する液側温度センサ５５が設けられている。さらには、室外機２の図示しない吸込口付近には、外気温度を検出するための外気温度センサ５７が設けられている。
【００２３】
室内機４は、冷媒回路１０の一部を構成する室内冷媒経路１０ｂを備えている。室内冷媒経路１０ｂは、主として室内熱交換器４１と、室内膨張弁４２と、ガス管６の一端が接続される閉鎖弁４７と、液管５の一端が接続される閉鎖弁４８とを有しており、これらが相互に冷媒配管で接続されている。また、室内機４は、室内ファン４３と制御手段１００とを備えている。
【００２４】
室内熱交換器４１は、一端が閉鎖弁４７を介してガス管６に接続され、他端が室内膨張弁の一方のポートに接続されている。室内熱交換器４１は、室外機２の四方弁２２が切り替えられることによって、空気調和機１が暖房運転を行う際には凝縮器として室内空気を加熱し、冷房運転を行う際には蒸発器として室内空気を冷却する。
【００２５】
室内ファン４３は、図示しないファンモータによって駆動される。室内ファン４３が回転することによって室内機４の図示しない吸込口から室内機４内部に室内空気を取り込み、室内熱交換器４１において冷媒と熱交換させた後、室内機４の図示しない吹出口から室内に供給する。
【００２６】
室内膨張弁４２は、上述したように、一方のポートが室内熱交換器４１に接続され、他方のポートが閉鎖弁４８を介して液管５に接続されている。室内膨張弁４２は、室内熱交換器４１が凝縮器として機能する場合は、その開度が要求される暖房能力に応じて調整され、室内熱交換器４１が蒸発器として機能する場合は、その開度が要求される冷房能力に応じて調整される。
【００２７】
室内機４には、上述した構成の他に、各種のセンサが設けられている。室内熱交換器４１の閉鎖弁４７側には、室内熱交換器４１に流入あるいは流出する冷媒の温度を検出する室内熱交温度検出手段であるガス側温度センサ４４が設けられている。また、室内熱交換器４１の室内膨張弁４２側には、室内熱交換器４１から流出あるいは流入する冷媒の温度を検出する液側温度センサ４５が設けられている。また、室内機４の図示しない吸込口付近には、室温を検出するための室温検出手段である室温センサ４６が設けられている。
【００２８】
制御手段１００は、図１に示すように、主として、ＣＰＵ１１０と、センサ入力部１２０と、記憶部１３０と、通信部１４０とを備えている。制御手段１００は、室内機４の図示しない電装品箱に格納された制御基板に搭載されている。尚、この制御手段１００と、室外機２の図示しない制御手段とから、空気調和機１の制御手段が構成されている。
【００２９】
センサ入力部１２０は、室内機４に備えられた各種センサでの検出結果を取り込んでＣＰＵ１１０へ出力する。記憶部１３０は、ＲＯＭやＲＡＭで構成されており、室内機２の制御プログラムや、各種センサからの検出信号に対応した検出値、使用者による空調運転に関する設定情報等を記憶する。通信部１４０は、室外機２との通信を行うインターフェイスである。
【００３０】
ＣＰＵ１１０には、センサ入力部１２０を介して各種センサでの検出値が入力されるとともに、室外機から送信される室外機２の制御内容を含んだ通信データが通信部１４０を介して入力される。また、図示は省略するが、ＣＰＵ１１０には、使用者が操作するリモコンから送信される設定情報信号をリモコン受信部を介して入力される。ＣＰＵ１１０は、これら入力された各種情報に基づいて室内膨張弁４２の開度制御や室内ファン４３の回転制御を行うとともに、室外機２に、入力した各種情報に基づいた運転指示内容を含んだ信号を送信する。
【００３１】
次に、本実施例の空気調和機１の空調運転時の冷媒回路１０における冷媒の流れや各部の動作について、図１を用いて説明する。尚、以下の説明では暖房運転を行う場合について説明し、冷房運転／除湿運転を行う場合については説明を省略している。
【００３２】
暖房運転時は、四方弁２２は、図１の実線で示される状態、すなわち、ポートａとポートｄとを連通し、ポートｂとポートｃとを連通する状態となる。これにより、室外熱交換器２３が蒸発器となり、室内熱交換器４１が凝縮器となる。
【００３３】
圧縮機２１から吐出された高圧の冷媒は、四方弁２２および閉鎖弁３２を通過してガス管６に流入し、ガス管６から閉鎖弁４７を介して室内熱交換器４１に流入する。室内熱交換器４１に流入した高圧の冷媒は、室内ファン４３の回転によって室内機４内部に吸入され室内熱交換器４１を通過する室内空気と熱交換を行って凝縮する。室内熱交換器４１を通過して暖められた室内空気は、室内ファン４３の回転によって室内に吹き出される。これにより、室内機４が設置された部屋の暖房が行われる。
【００３４】
室内熱交換器４１から流出した高圧の冷媒は、室内膨張弁４２を通過して低圧の冷媒となる。ここで、室内膨張弁４２は、例えば、ＣＰＵ１１０が、液側温度センサ４５で検出した冷媒温度および室外機２から受信した高圧飽和温度（室外機２の高圧センサ５１で検出した吐出圧力から算出したもので、室内熱交換器４１内の冷媒温度に相当する温度）から、室内熱交換器４１出口での冷媒過冷却度を求め、これに応じて開度を決定している。
【００３５】
閉鎖弁４８を介して室内機４から流出した低圧の冷媒は液管５を流れ、閉鎖弁３１を介して室外機２に流入する。室外機２に流入した低圧の冷媒は、室外熱交換器２３に流入する。室外熱交換器２３に流入した低圧の冷媒は、外気と熱交換を行って蒸発する。そして、室外熱交換器２３から流出した低圧の冷媒は、四方弁２２およびアキュムレータ２４を介して圧縮機２１に吸入されて再び圧縮される。
尚、以上説明した暖房運転時の冷媒の流れは、図１において実線矢印で示している。
【００３６】
次に、図２（Ａ）に示す送風制御テーブル６０について説明する。この送風制御テーブル６０は、室内機４の制御手段１００に備えられた記憶部１３０に記憶されている。送風制御テーブル６０は、空気調和機１の暖房運転開始時や暖房運転復帰時に、制御手段１００が後述する送風制御モードを実行する際の送風制御を定めたものであり、室温センサ４６で検出する室温Ｔ（℃）と、室内熱交換器４１の温度である室内熱交温度Ｔｃ（℃）とに対応して室内機４の送風の「防止」あるいは「防止解除」が定められている。
【００３７】
室内機４の送風の「防止」とは、室内機４の室内ファン４３を回転させないよう制御して室内への送風を行わないことを示している。また、室内機４の送風の「防止解除」とは、室内機４の室内ファン４３の回転制御を、室温と設定温度との差温や使用者による風量設定等といった情報により行う、つまり、通常空調運転時の制御（以下、通常制御と記載）による送風を行って暖房運転を開始することを示している。尚、室内熱交温度Ｔｃは、暖房運転時にガス側温度センサ４４で検出した室内熱交換器４１入口での冷媒温度としている。
【００３８】
室温Ｔは５つのゾーン、すなわち、０℃未満、０℃以上５℃未満、５℃以上１０℃未満、１０℃以上１５℃未満、および、１５℃以上に分けられている。また、室内熱交温度Ｔｃも５つのゾーン、すなわち、２０℃以下、２０℃以上２４℃未満、２４℃以上２８℃未満、２８℃以上３２℃未満、および、３２℃以上に分けられている。
【００３９】
送風制御テーブル６０では、上述した室温Ｔおよび室内熱交温度Ｔｃのゾーン毎に送風の「防止」あるいは「防止解除」が定められている。例えば、室内熱交温度Ｔｃが２０℃未満の場合は室温Ｔに関わらず全て「防止」、つまり、室内ファン４３の回転を行わない。また、室内熱交温度Ｔｃが３２℃以上の場合は室温Ｔに関わらず全て「防止解除」、つまり、室内ファン４３を通常制御して暖房運転を開始する。
【００４０】
室内熱交温度Ｔｃが２０℃以上３２℃未満の場合は、室温Ｔのゾーンによって送風制御が異なり、例えば、室内熱交温度Ｔｃが２４℃以上２８℃未満において、室温Ｔが５℃未満の場合は「防止解除」、室温Ｔが５℃以上の場合は「防止」となっている。
【００４１】
送風制御テーブル６０で、以上説明したように室温Ｔと室内熱交温度Ｔｃに応じて送風制御を定めている理由は以下の通りである。通常、暖房運転開始時あるいは暖房運転復帰時には、室内熱交温度Ｔｃが一定温度、例えば３２℃以上となるまでは、室外ファン４３の回転は行わない。これは、室内熱交温度Ｔｃが上昇しないうちに室外ファン４３を回転させると、室内熱交換器４１で十分に暖められない空気が室内機４から吹き出されて、使用者に不快感を与える虞があるためである。
【００４２】
一方、室温Ｔと室内機４から吹き出される空気との温度差、つまり、室内熱交温度Ｔｃが室温Ｔに比べて所定温度以上高い場合、例えば、室温Ｔが０℃未満である時に室内熱交温度Ｔｃが２５℃、つまり、室温Ｔより室内熱交温度Ｔｃが２５℃高い場合では、室内熱交換器４１を通過して暖められた空気は室温以上となっている。従って、室内機４から室内に室内熱交換器４１を通過した空気が吹き出されても、部屋にいる使用者は吹き出された空気を暖かいと感じる。このような状況では、室内ファン４３を回転させて送風を開始してもよい。
【００４３】
従って、本実施例における空気調和機１では、図２（Ａ）の送風制御テーブル６０に示すように、室温Ｔと室内熱交温度Ｔｃとの温度差が２０℃以上（送風制御テーブル６０における、室温Ｔが０℃未満、室内熱交温度Ｔｃが２０℃以上２４℃未満の場合）であれば、室内ファン４３を通常制御により回転させて室内への送風を行うことにより、使用者が迅速な暖房感を得られるようにする。
【００４４】
次に、図１および図２を用いて、本実施例の空気調和機１における、暖房運転開始時あるいは暖房運転復帰時に送風制御モードを実行する際の具体的な動作について説明する。使用者による図示しないリモコンの操作やタイマー運転開始によって空気調和機１で暖房運転が開始されると、あるいは、空気調和機１が暖房運転中に除霜運転を行いその後暖房運転を再開する（暖房運転復帰となる）と、制御手段１００のＣＰＵ１１０は、記憶部１２０に記憶している送風制御テーブル６０を参照して、室温センサ４６およびガス側温度センサ４４で検出されセンサ入力部１２０を介して取り込んだ室温Ｔおよび室内熱交温度Ｔｃとに対応した送風制御を抽出する。ＣＰＵ１１０は、抽出した送風制御に基づいて室内ファン４３の回転制御を開始する送風制御モードを実行する。
【００４５】
尚、室温Ｔおよび室内熱交温度Ｔｃの取り込みは、空気調和機１が運転を開始して室内機４が起動した後はＣＰＵ１１０によって常時行われており、取り込んだ室温Ｔおよび室内熱交温度Ｔｃは記憶部１３０に記憶されている。
【００４６】
暖房運転開始直後あるいは暖房運転復帰直後は、室内熱交換器４１の温度が低い状態であり、例えば、取り込んだ室内熱交温度Ｔｃが２０℃未満であれば、ＣＰＵ１１０は送風制御テーブル６０を参照して、室温Ｔに関わらず送風制御「防止」を抽出し、これに基づき室内ファン４３を回転させない。
【００４７】
暖房運転開始後あるいは暖房運転復帰後に時間が経つにつれて、室内熱交温度Ｔｃが徐々に高くなっていく。そして、取り込んだ室内熱交温度Ｔｃが２０℃以上となれば、室温Ｔによっては送風制御が解除となる場合があり、例えば、取り込んだ室内熱交温度Ｔｃが２５℃、室温Ｔが３℃であれば、ＣＰＵ１１０は、送風制御テーブル６０を参照して、送風制御「防止解除」を抽出し、これに基づき通常制御（使用者が指示した設定温度と室温Ｔとの温度差や、使用者による風量指示に基づく制御）を行って室内ファン４３を所定の回転数で回転させて送風を行う。
【００４８】
そして、暖房運転開始後あるいは暖房運転復帰後にある程度時間が経過して、室内熱交温度Ｔｃが一定の温度を越えた場合、例えば、取り込んだ室内熱交温度Ｔｃが３２℃以上となった場合は、ＣＰＵ１１０は、送風制御テーブル６０を参照して、送風制御「防止解除」を抽出し、これに基づき室温Ｔに関わらず通常制御によって室内ファン４３を所定の回転数で回転させて送風を行う。
【００４９】
以上説明したように、本実施例における空気調和機１では、暖房運転開始後あるいは暖房運転復帰後に室温Ｔと室内熱交温度Ｔｃとに応じて送風制御を行う送風制御モードを実行するので、室内熱交温度Ｔｃのみで送風制御を行う場合と比べて、室内熱交温度Ｔｃが室温Ｔに比べて所定温度以上高い場合は、暖房運転開始後あるいは暖房運転復帰後の早い段階から送風を開始して暖房運転を行うことができる。これにより、使用者の暖房感を損なうことなく、また、室内機４から冷たい空気が吹き出されて使用者に不快感を与えることを防ぐことができる。
【００５０】
尚、上述した実施例では、送風制御テーブル６０において、室温Ｔと室内熱交温度Ｔｃとに対応させた送風制御は、「防止」と「防止解除」のみである場合について説明したが、図２（Ｂ）に示す送風制御テーブル７０のように、送風制御の「防止解除」に送風の強さ（送風量）を加味して制御を行うようにしてもよい。
【００５１】
送風制御テーブル７０では、送風制御が「防止解除」の場合に室温Ｔと室内熱交温度Ｔｃとに対応させて送風の強さが定められている。尚、送風制御テーブル７０は、室温Ｔと室内熱交温度Ｔｃとのゾーン設定や、各ゾーンに対応した送風制御は図２（Ａ）の送風制御テーブル６０と同じであるため、詳細な説明は省略する。また、送風の強さは、微弱→弱→中→やや強→強、の順に５段階で設定できるものとしている。
【００５２】
送風制御テーブル７０においては、送風制御「防止解除」である場合に、室温Ｔと室内熱交温度Ｔｃとの温度差に応じて送風の強さを定めており、室温Ｔと室内熱交温度Ｔｃとの温度差が大きいほど送風の強さを強く設定している。例えば、室内熱交温度Ｔｃが２０℃以上２４℃未満であって、室温が０℃未満である場合は「防止解除（微弱）」とされており、この場合ＣＰＵ１１０は、室内ファン４３を所定の回転数で回転させて送風の強さが「微弱」となるよう強制的に制御する。また、例えば、室内熱交温度Ｔｃが２８℃以上３２℃未満であって、室温が０℃以上５℃未満である場合は「防止解除（弱）」とされており、この場合ＣＰＵ１１０は、室内ファン４３を所定の回転数で回転させて送風の強さが「弱」となるよう強制的に制御する。
【００５３】
以上のように、送風制御を「防止解除」する場合に、室温Ｔと室内熱交温度Ｔｃとの温度差に応じて送風の強さを定めることによって、暖房運転開始後あるいは暖房運転復帰後に室内熱交温度Ｔｃの上昇に応じて段階的に送風の強さを上げていくことができる。これにより、使用者の体感する送風温度に合わせた送風制御とすることができ、使用者に与える違和感を減少させることができる。
【００５４】
次に、図３に示すフローチャートを用いて、本発明における空気調和機１での処理の流れについて説明する。図３のフローチャートは、ＣＰＵ１１０における暖房運転開始時あるいは暖房運転復帰時の送風制御モード実行に関する処理の流れを説明するものであり、ＳＴはステップを表し、これに続く数字はステップの番号を表している。
【００５５】
尚、図３のフローチャート以外の処理、例えば、室内機４の室内膨張弁４２の開閉制御や使用者が指示した運転情報に基づく制御等の、その他の一般的な室内機４での処理については説明を省略している。また、室外機２における圧縮機２１や室外ファン２５の駆動制御、四方弁２２の切り換え制御等といった室外機２での処理についても説明を省略している。
【００５６】
ＣＰＵ１１０は、使用者がリモコン操作により指示した運転モード情報（暖房運転、冷房運転あるいは除湿運転を示す情報）を入力する（ＳＴ１）。次に、ＣＰＵ１１０は、入力した運転モード情報が暖房運転の指示であるか否かを判断する（ＳＴ２）。暖房運転でなければ（ＳＴ２−Ｎｏ）、ＣＰＵ１１０は、通常の冷房運転あるいは除湿運転を開始し（ＳＴ１１）、ＳＴ１に処理を戻す。
【００５７】
暖房運転であれば（ＳＴ２−Ｙｅｓ）、ＣＰＵ１１０は、センサ入力部１２０を介して、室温センサ４６で検出した室温Ｔと、ガス側温度センサ４４で検出した室内熱交温度Ｔｃとを取り込んで（ＳＴ３）、記憶部１３０に記憶する。次に、ＣＰＵ１１０は、記憶部１３０に記憶している送風制御テーブル６０（もしくは送風制御テーブル７０）を参照し、取り込んだ室温Ｔおよび室内熱交温度Ｔｃとに対応する送風制御を抽出する（ＳＴ４）。
【００５８】
次にＣＰＵ１１０は、抽出した送風制御は「防止解除」であるか否かを判断する（ＳＴ５）。抽出した送風制御が「防止解除」でなければ（ＳＴ５−Ｎｏ）、ＣＰＵ１１０が抽出した送風制御は「防止」であるため、ＣＰＵ１１０は、ＳＴ３に処理を戻してＳＴ３からＳＴ５までの処理を繰り返す。抽出した送風制御が「防止解除」であれば（ＳＴ５−Ｙｅｓ）、ＣＰＵ１１０は、取り込んだ室温Ｔと使用者の指示した設定温度との差温や使用者が設定した風量に基づいて室内ファン４３の回転を開始する通常制御を行い、暖房運転を開始もしくは再開する（ＳＴ６）。
【００５９】
次に、ＣＰＵ１１０は、暖房運転中に除霜運転へ移行する必要があるか否かを判断する（ＳＴ７）。具体的には、ＣＰＵ１１０は、室外機２の外気温度センサ５７が検出した外気温度を通信部１３０を介して室内機４から取り込み、外気温度が所定温度、例えば０℃以下であれば除霜運転が必要と判断する。
【００６０】
除霜運転へ移行する必要がなければ（ＳＴ７−Ｎｏ）、ＣＰＵ１１０は、使用者により運転モードの変更指示があるか否かを判断する（ＳＴ１２）。変更指示がなければ（ＳＴ１２−Ｎｏ）、ＣＰＵ１１０はＳＴ６に処理を戻して暖房運転を継続し、変更指示があれば（ＳＴ１２−Ｙｅｓ）、ＣＰＵ１１０はＳＴ１に処理を戻す。
【００６１】
除霜運転へ移行する必要があれば（ＳＴ７−Ｙｅｓ）、ＣＰＵ１１０は、除霜運転を開始する（ＳＴ８）。具体的には、ＣＰＵ１１０は、室外機２に対し四方弁２２を切り換えて冷媒回路１０が冷房運転時の回路となるよう通信部１３０を介して指示する。
【００６２】
次に、ＣＰＵ１１０は、除霜運転から暖房運転へ復帰させるか否かを判断する（ＳＴ９）。具体的には、例えば、室外機２の室外熱交温度センサ５６が検出した、除霜運転を開始してからの室外熱交換器２３の温度を通信部１３０を介して取り込み、この室外熱交温度の温度が所定温度、例えば１０℃以上であれば、除霜運転を終了してよいと判断する。
【００６３】
暖房運転に復帰させてよい場合は（ＳＴ９−Ｙｅｓ）、ＣＰＵ１１０は、ＳＴ３に処理を戻す。暖房運転に復帰させない場合は（ＳＴ９−Ｎｏ）、ＣＰＵ１１０は、使用者により運転モードの変更指示があるか否かを判断する（ＳＴ１０）。変更指示がなければ（ＳＴ１０−Ｎｏ）、ＣＰＵ１１０はＳＴ８に処理を戻して除霜運転を継続し、変更指示があれば（ＳＴ１０−Ｙｅｓ）、ＣＰＵ１１０はＳＴ１に処理を戻す。
【００６４】
以上説明したように、本発明の空気調和機によれば、暖房運転を開始した際に、あるいは、除霜運転から暖房運転に復帰した際に、室温検出手段で検出した室温と、室内熱交温度検出手段で検出した室内熱交温度とに基づいて、室内機における送風防止あるいは送風防止解除を行う。これにより、室内熱交温度のみで室内機における送風防止あるいは送風防止解除を行う場合に比べて、暖房運転開始時や暖房運転復帰時における送風開始を迅速に行える。
【符号の説明】
【００６５】
１  空気調和機
２  室外機
４  室内機
５  液管
６  ガス管
１０  冷媒回路
１０ａ  室外冷媒経路
１０ｂ  室内冷媒経路
２１  圧縮機
２２  四方弁
２３  室外熱交換器
２４  アキュムレータ
２５  室外ファン
３１  閉鎖弁
３２  閉鎖弁
４１  室内熱交換器
４２  室内膨張弁
４３  室内ファン
４４  ガス側温度センサ
４５  液側温度センサ
４６  室温センサ
４７  閉鎖弁
４８  閉鎖弁
５１  高圧センサ
５２  低圧センサ
５３  吐出温度センサ
５４  吸入温度センサ
５５  液側温度センサ
５６  室外熱交温度センサ
５７  外気温度センサ
６０  送風制御テーブル
７０  送風制御テーブル
１００  制御手段
１１０  ＣＰＵ
１２０  センサ入力部
１３０  記憶部
１４０  通信部
【図１】
0005598392.tif 000002
【図２】
0005598392.tif 000003
【図３】
0005598392.tif 000004